(57)【要約】【課題】表示画像を分割した分割領域の各々に画像を表示する場合において、画像が表示されない非表示領域を低減できる技術を提供する。【解決手段】表示装置は、第１画像が配置される第１領域と、第２画像が配置される第２領域と、を含む表示画像を生成する生成部と、表示画像を表示面に表示する表示部と、を含む。表示画像は、特定領域を含む。特定領域は、第１領域と第２領域とに分割されている。生成部は、第１画像の形状と第２画像の形状とに基づいて、第１領域と第２領域との境界の位置を決定する。【選択図】図３
2019015834.tif 000002
【特許請求の範囲】
【請求項１】
第１画像が配置される第１領域と、第２画像が配置される第２領域と、を含む表示画像を生成する生成部と、
前記表示画像を表示面に表示する表示部と、を含み、
前記表示画像は、特定領域を含み、
前記特定領域は、前記第１領域と前記第２領域とに分割されており、
前記生成部は、前記第１画像の形状と前記第２画像の形状とに基づいて、前記第１領域と前記第２領域との境界の位置を決定することを特徴とする表示装置。
【請求項２】
前記生成部は、
前記第１画像を、縦横比を維持したまま前記第１領域に収まる最大のサイズにし、
前記第２画像を、縦横比を維持したまま前記第２領域に収まる最大のサイズにし、
前記第１領域において前記第１画像が存在しない第３領域と、前記第２領域において前記第２画像が存在しない第４領域と、を合わせた第５領域の大きさが、前記境界が前記第１領域の大きさと前記第２領域の大きさとを同じにする基準位置にあるときよりも小さくなるように、前記境界の位置を決定することを特徴とする請求項１に記載の表示装置。
【請求項３】
前記生成部は、前記第１領域と前記第２領域とが第１の方向の並びの位置関係である状況において、前記境界が前記基準位置にあるときに前記第１画像の前記第１の方向の長さが前記第１領域の前記第１の方向の長さと同じでかつ前記第２画像の前記第１の方向の長さが前記第２領域の前記第１の方向の長さよりも短い場合には、前記境界を前記基準位置よりも前記第２領域側に位置させることを特徴とする請求項２に記載の表示装置。
【請求項４】
前記第１の方向は、前記表示画像の横方向、または、前記表示画像の縦方向であることを特徴とする請求項３に記載の表示装置。
【請求項５】
表示装置の制御方法であって、
第１画像が配置される第１領域と、第２画像が配置される第２領域と、を含む表示画像を生成するステップと、
前記表示画像を表示面に表示するステップと、を含み、
前記表示画像は、特定領域を含み、
前記特定領域は、前記第１領域と前記第２領域とに分割されており、
前記表示画像を生成するステップでは、前記第１画像の形状と前記第２画像の形状とに基づいて、前記第１領域と前記第２領域との境界の位置を決定することを特徴とする表示装置の制御方法。
【発明の詳細な説明】
【技術分野】
【０００１】
本発明は、表示装置および表示装置の制御方法に関する。
【背景技術】
【０００２】
特許文献１には、１つの表示領域を複数の領域（以下「部分領域」と称する）に分割し、各部分領域に、ＰＣ（パーソナルコンピューター）から受信した画像情報に応じた画像を表示する画像表示装置が記載されている。
この画像表示装置では、表示領域における部分領域の境界の位置は固定されている。
【先行技術文献】
【特許文献】
【０００３】
【特許文献１】特開２０１３−１１３９３６号公報
【発明の概要】
【発明が解決しようとする課題】
【０００４】
ところで、画像表示装置に画像情報を提供可能な装置は、ＰＣに限られず、多様化している。これに伴い、画像表示装置に提供される画像の縦横比（解像度）も多様になっている。
一方、特許文献１に記載の画像表示装置では、表示領域における部分領域の境界の位置が固定されているため、部分領域の縦横比は固定されている。
このため、部分領域に表示される画像の縦横比と部分領域の縦横比との一致度が低い場合、部分領域において画像が表示されない非表示領域が多くなる。よって、非表示領域を低減できる技術が望まれている。
【０００５】
本発明は上述した事情に鑑みてなされたものであり、非表示領域を低減できる技術を提供することを解決課題とする。
【課題を解決するための手段】
【０００６】
本発明に係る表示装置の一態様は、第１画像が配置される第１領域と、第２画像が配置される第２領域と、を含む表示画像を生成する生成部と、前記表示画像を表示面に表示する表示部と、を含み、前記表示画像は、特定領域を含み、前記特定領域は、前記第１領域と前記第２領域とに分割されており、前記生成部は、前記第１画像の形状と前記第２画像の形状とに基づいて、前記第１領域と前記第２領域との境界の位置を決定することを特徴とする。
この態様によれば、第１画像の形状と第２画像の形状とに基づいて、第１領域と第２領域との境界の位置が決定される。このため、第１画像の形状と第２画像の形状とに基づいて、第１領域の形状と第２領域の形状とを変更可能になる。よって、第１領域の形状と第２領域の形状とが固定されている場合に比べて、第１領域の形状と第１画像の形状との一致度および第２領域の形状と第２画像の形状との一致度を高くすることが可能になり、表示画像において非表示領域を低減可能になる。
【０００７】
上述した表示装置の一態様において、前記生成部は、前記第１画像を、縦横比を維持したまま前記第１領域に収まる最大のサイズにし、前記第２画像を、縦横比を維持したまま前記第２領域に収まる最大のサイズにし、前記第１領域において前記第１画像が存在しない第３領域と、前記第２領域において前記第２画像が存在しない第４領域と、を合わせた第５領域の大きさが、前記境界が前記第１領域の大きさと前記第２領域の大きさとを等しくする基準位置にあるときよりも小さくなるように、前記境界の位置を決定することが望ましい。
この態様によれば、表示画像において非表示領域を低減できる。
【０００８】
上述した表示装置の一態様において、前記生成部は、前記第１領域と前記第２領域とが第１の方向の並びの位置関係である状況において、前記境界が前記基準位置にあるときに前記第１画像の前記第１の方向の長さが前記第１領域の前記第１の方向の長さと等しくかつ前記第２画像の前記第１の方向の長さが前記第２領域の前記第１の方向の長さよりも短い場合には、前記境界を前記基準位置よりも前記第２領域側に位置させることが望ましい。
この態様によれば、表示画像において第１の方向における非表示領域を低減することが可能になる。
【０００９】
上述した表示装置の一態様において、前記第１の方向は、前記表示画像の横方向、または、前記表示画像の縦方向であることが望ましい。
この態様によれば、第１領域と第２領域とが横並びの位置関係または縦並びの位置関係である状況において、表示画像での非表示領域を低減することが可能になる。
【００１０】
本発明に係る表示装置の制御方法の一態様は、表示装置の制御方法であって、第１画像が配置される第１領域と、第２画像が配置される第２領域と、を含む表示画像を生成するステップと、前記表示画像を表示面に表示するステップと、を含み、前記表示画像は、特定領域を含み、前記特定領域は、前記第１領域と前記第２領域とに分割されており、前記表示画像を生成するステップでは、前記第１画像の形状と前記第２画像の形状とに基づいて、前記第１領域と前記第２領域との境界の位置を決定することを特徴とする。
この態様によれば、第１画像の形状と第２画像の形状とに基づいて、第１領域と第２領域との境界の位置が決定される。このため、第１画像の形状と第２画像の形状とに基づいて、第１領域の形状と第２領域の形状とを変更することが可能になる。よって、第１領域の形状と第２領域の形状とが固定されている場合に比べて、第１領域の形状と第１画像の形状との一致度および第２領域の形状と第２画像の形状との一致度を高くすることが可能になり、表示画像において非表示領域を低減可能になる。
【図面の簡単な説明】
【００１１】
【図１】第１実施形態に係るプロジェクター１００を示した図である。
【図２】表示画像４００を説明するための図である。
【図３】プロジェクター１００の一例を示した図である。
【図４】伝送用第１画像Ｋと第１画像Ａと枠画像Ｊとの一例を示した図である。
【図５】伝送用第２画像Ｍと第２画像Ｂと枠画像Ｌとの一例を示した図である。
【図６】基準位置Ｇの位置する境界Ｅの一例を示した図である。
【図７】投射部１０７の一例を示した図である。
【図８】プロジェクター１００の動作を説明するための図である。
【図９】特定状況での表示画像４００を示した図である。
【図１０】基準配置状態の一例を示した図である。
【図１１】境界移動状態の一例を示した図である。
【図１２】ステップＳ１２で生成される表示画像４００の一例を示した図である。
【図１３】第１領域Ｃと第２領域Ｄが縦方向に並ぶ例を示した図である。
【図１４】分割領域Ｎ１〜Ｎ４に分割された表示画像４００の一例を示した図である。
【図１５】変形例３の動作の一例を説明するためのフローチャートである。
【発明を実施するための形態】
【００１２】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１３】
＜第１実施形態＞
図１は、第１実施形態に係るプロジェクター１００を示した図である。プロジェクター１００は、表示装置の一例である。
【００１４】
プロジェクター１００は、ＰＣ２００から、第１画像Ａ（図１では、グラフを表す画像）を示す第１画像情報を受け取る。プロジェクター１００は、携帯端末３００から、第２画像Ｂ（図１では、キャラクターを表す画像）を示す第２画像情報を受け取る。
ＰＣ２００および携帯端末３００は、画像情報供給装置の一例である。第１画像Ａは、グラフを表す画像に限らず適宜変更可能である。第２画像Ｂは、キャラクターを表す画像に限らず適宜変更可能である。第１画像Ａと第２画像Ｂの各々は矩形である。
【００１５】
プロジェクター１００は、第１画像情報と第２画像情報とを用いて、第１画像Ａと第２画像Ｂとを有する表示画像４００を生成する。
図２は、表示画像４００を説明するための図である。表示画像４００は矩形である。表示画像４００は、第１画像Ａが配置される第１領域Ｃと、第２画像Ｂが配置される第２領域Ｄと、を含む。図１および図２に示した例では、表示画像４００の全体が、特定領域の一例となる。
【００１６】
表示画像４００は、第１領域Ｃと第２領域Ｄとの境界Ｅによって、第１領域Ｃと第２領域Ｄとに分割されている。第１領域Ｃと第２領域Ｄとは、互いに隣り合っている。第１領域Ｃと第２領域Ｄとは、表示画像４００において、横並び（Ｘ方向の並び）の位置関係にある。境界Ｅは、直線である。
【００１７】
第１領域Ｃの形状（縦横比）と第２領域Ｄの形状（縦横比）は、境界Ｅの位置に応じて変動する。例えば、境界Ｅが第１領域Ｃ側に移動すると、第１領域Ｃでは縦方向（Ｙ方向）の長さは変わらずに横方向（Ｘ方向）の長さが短くなり、第２領域Ｄでは縦方向の長さは変わらずに横方向の長さが長くなる。また、境界Ｅが第２領域Ｄ側に移動すると、第１領域Ｃでは縦方向の長さは変わらずに横方向の長さが長くなり、第２領域Ｄでは縦方向の長さは変わらずに横方向の長さが短くなる。
【００１８】
また、第１領域Ｃの大きさと第２領域Ｄの大きさは、境界Ｅの位置に応じて変動する。例えば、境界Ｅが第１領域Ｃ側に移動すると、第１領域Ｃが小さくなって第２領域Ｄが大きくなる。また、境界Ｅが第２領域Ｄ側に移動すると、第１領域Ｃが大きくなって第２領域Ｄが小さくなる。
【００１９】
プロジェクター１００は、第１画像Ａを、第１画像Ａの縦横比を維持したまま第１領域Ｃに収まる最大のサイズにして第１領域Ｃに配置し、かつ、第２画像Ｂを、第２画像Ｂの縦横比を維持したまま第２領域Ｄに収まる最大のサイズにして第２領域Ｄに配置する。
【００２０】
プロジェクター１００は、第１画像Ａの形状と第２画像Ｂの形状とに基づいて、境界Ｅの位置を決定する。上述したように、第１領域Ｃの縦横比および第２領域Ｄの縦横比は、境界Ｅの位置に応じて変更される。
【００２１】
プロジェクター１００は、表示画像４００において、第１画像Ａと第２画像Ｂのいずれも存在しない領域（以下「非表示領域」と称する）Ｆの大きさが小さくなるように、境界Ｅの位置を決定する。
【００２２】
非表示領域Ｆは、第１領域Ｃにおいて第１画像Ａが存在しない第３領域と、第２領域Ｄにおいて第２画像Ｂが存在しない第４領域と、を合わせた第５領域の一例である。図１では、非表示領域Ｆが斜線で示されている。
【００２３】
プロジェクター１００は、境界Ｅの位置を決定すると、上述したように、第１画像Ａを、第１画像Ａの縦横比を維持したまま第１領域Ｃに収まる最大のサイズにして第１領域Ｃに配置し、かつ、第２画像Ｂを、第２画像Ｂの縦横比を維持したまま第２領域Ｄに収まる最大のサイズにして第２領域Ｄに配置して、表示画像４００を生成する。
【００２４】
プロジェクター１００は、表示画像４００を投射部１０７からスクリーンＳＣに投射して表示する。スクリーンＳＣは、表示面の一例である。
【００２５】
図３は、プロジェクター１００の一例を示した図である。
プロジェクター１００は、操作部１０１と、受信部１０２と、画像受取部１０３と、無線通信部１０４と、記憶部１０５と、制御部１０６と、投射部１０７と、を含む。
【００２６】
操作部１０１は、プロジェクター１００を操作するための各種操作キーを備える。例えば、操作部１０１は、表示画像４００のような分割表示を指示する分割表示キー、および、各種設定を行うためのメニューキー等を備える。操作部１０１は、操作された操作キーに応じた操作信号を制御部１０６に出力する。
【００２７】
受信部１０２は、リモートコントローラー１５０が送信した赤外線信号を受信し、受信した赤外線信号に応じた操作信号を制御部１０６に出力する。リモートコントローラー１５０は、各種の操作キー（例えば、分割表示キー）を備えており、これら操作キーへの操作に応じた赤外線信号を送信する。
【００２８】
画像受取部１０３は、例えば、画像情報が入力される入力端子、または、有線ＬＡＮ通信部である。画像受取部１０３は、ケーブル等を介してＰＣ２００から第１画像情報を受け取る。
【００２９】
ＰＣ２００は、画像受取部１０３への画像情報の伝送に適した伝送解像度で表された画像を示す第１画像情報を、プロジェクター１００へ出力する。伝送解像度は、画像の総画素数（横方向の画素数×縦方向の画素数）にて表される。伝送解像度は、プロジェクター１００が表示できる画像の解像度である。伝送解像度は、ＰＣ２００が第１画像情報をプロジェクター１００に出力する前に、プロジェクター１００からＰＣ２００に通知される。
【００３０】
第１画像情報は、第１画像Ａと、第１画像Ａの周囲に枠状に設けられた枠画像Ｊと、を表す伝送用第１画像Ｋを示す。伝送用第１画像Ｋの解像度（総画素数＝横方向の画素数×縦方向の画素数）は、伝送解像度に設定されている。
【００３１】
図４は、伝送用第１画像Ｋと第１画像Ａと枠画像Ｊとの一例を示した図である。
第１画像情報には、第１画像Ａの解像度（Ｉ１×Ｉ２）を示す第１ネイティブ解像度情報と、オフセットＹ１と、オフセットＸ１とが、付加されている。第１画像Ａの解像度（第１ネイティブ解像度）は、ＰＣ２００で表示されている第１画像Ａの解像度である。オフセットＹ１は、第１画像Ａの下端Ａ１から枠画像Ｊの下端Ｊ１までの画素数を示す。オフセットＸ１は、第１画像Ａの左端Ａ２から枠画像Ｊの左端Ｊ２までの画素数を示す。第１ネイティブ解像度が伝送解像度と等しい場合には、オフセットＹ１およびオフセットＸ１は、それぞれ「０」を示す。
第１ネイティブ解像度情報とオフセットＹ１とオフセットＸ１は、プロジェクター１００が、伝送用第１画像Ｋから第１画像Ａを取り出すために使用される。
【００３２】
図３に戻って、無線通信部１０４は、種々の機器と無線通信することができる。無線通信部１０４は、スマートフォン等の携帯端末３００から無線送信された第２画像情報を受信する。
【００３３】
携帯端末３００は、伝送解像度で表された画像を示す第２画像情報を、プロジェクター１００へ送信する。伝送解像度は、例えば、携帯端末３００が第２画像情報をプロジェクター１００に出力する前に、プロジェクター１００から携帯端末３００に通知される。
【００３４】
第２画像情報は、第２画像Ｂと、第２画像Ｂの周囲に枠状に設けられた枠画像Ｌと、を表す伝送用第２画像Ｍを示す。伝送用第２画像Ｍの解像度（総画素数＝横方向の画素数×縦方向の画素数）は、伝送解像度に設定されている。
【００３５】
図５は、伝送用第２画像Ｍと第２画像Ｂと枠画像Ｌとの一例を示した図である。
第２画像情報には、第２画像Ａの解像度（Ｉ３×Ｉ４）を示す第２ネイティブ解像度情報と、オフセットＹ２と、オフセットＸ２とが、付加されている。第２画像Ｂの解像度（第２ネイティブ解像度）は、携帯端末３００で表示されている第２画像Ｂの解像度である。オフセットＹ２は、第２画像Ｂの下端Ｂ１から枠画像Ｌの下端Ｌ１までの画素数を示す。オフセットＸ２は、第２画像Ｂの左端Ｂ２から枠画像Ｌの左端Ｌ２までの画素数を示す。第２ネイティブ解像度が伝送解像度と等しい場合には、オフセットＹ２およびオフセットＸ２は、それぞれ「０」を示す。
第２ネイティブ解像度情報と、オフセットＹ２と、オフセットＸ２は、プロジェクター１００が、伝送用第２画像Ｍから第２画像Ｂを取り出すために使用される。
【００３６】
図３に戻って、記憶部１０５は、コンピューター読み取り可能な記録媒体である。記憶部１０５は、例えば、フラッシュメモリーである。記憶部１０５は、フラッシュメモリーに限らず適宜変更可能である。記憶部１０５は、例えば、制御部１０６が実行する制御プログラムを記憶する。
【００３７】
制御部１０６は、例えば、ＣＰＵ（Central Processing Unit）等のコンピューターである。制御部１０６は、１または複数のプロセッサーで構成されてもよい。制御部１０６は、記憶部１０５に記憶された制御プログラムを読み取り実行することによって、プロジェクター１００を制御する。制御部１０６は、生成部の一例である。
【００３８】
制御部１０６は、第１画像情報と第２画像情報とを用いて、表示画像４００を生成する。具体的には、制御部１０６は、第１画像情報と第２画像情報とを用いて、表示画像４００に応じた表示画像信号を生成する。
【００３９】
制御部１０６は、第１画像情報が示す伝送用第１画像Ｋから、第１ネイティブ解像度情報とオフセットＹ１とオフセットＸ１とを用いて、第１画像Ａを取り出す。また、制御部１０６は、第２画像情報が示す伝送用第２画像Ｍから、第２ネイティブ解像度情報とオフセットＹ２とオフセットＸ２とを用いて、第２画像Ｂを取り出す。
【００４０】
制御部１０６は、第１画像Ａを、第１画像Ａの縦横比を維持したまま第１領域Ｃに収まる最大のサイズにして第１領域Ｃに配置し、かつ、第２画像Ｂを、第２画像Ｂの縦横比を維持したまま第２領域Ｄに収まる最大のサイズにして第２領域Ｄに配置して、表示画像４００（表示画像４００に応じた表示画像信号）を生成する。
【００４１】
制御部１０６は、表示画像４００を生成する際、第１画像Ａの形状と第２画像の形状とに基づいて、境界Ｅの位置を決定する。制御部１０６は、非表示領域Ｆの大きさが、境界Ｅが第１領域Ｃの大きさと第２領域Ｄの大きさとを同じにする位置（以下「基準位置」と称する）にあるときよりも小さくなるように、境界Ｅの位置を決定する。
【００４２】
図６は、基準位置Ｇの位置する境界Ｅの一例を示した図である。基準位置Ｇは、矩形の表示画像４００のＸ方向（横方向）の長さの中点を通る。
以下、境界Ｅが基準位置Ｇに位置している状況での第１領域Ｃを「第１基準領域」とも称し、境界Ｅが基準位置Ｇに位置している状況での第２領域Ｄを「第２基準領域」とも称する。
【００４３】
制御部１０６は、第１領域Ｃと第２領域ＤとがＸ方向の並びの位置関係である状況において、境界Ｅが基準位置Ｇにあるときに第１画像ＡのＸ方向の長さが第１領域Ｃ（第１基準領域）のＸ方向の長さと同じでかつ第２画像ＢのＸ方向の長さが第２領域Ｄ（第２基準領域）のＸ方向の長さよりも短い場合には、境界Ｅを基準位置Ｇよりも第２領域Ｄ側に位置させる。ここで、Ｘ方向は、第１の方向の一例である。
また、制御部１０６は、第１領域Ｃと第２領域ＤとがＸ方向の並びの位置関係である状況において、境界Ｅが基準位置Ｇにあるときに第１画像ＡのＸ方向の長さが第１領域Ｃ（第１基準領域）のＸ方向の長さよりも短くかつ第２画像ＢのＸ方向の長さが第２領域Ｄ（第２基準領域）のＸ方向の長さと同じ場合には、境界Ｅを基準位置Ｇよりも第１領域Ｃ側に位置させる。
制御部１０６は、表示画像４００に応じた表示画像信号を投射部１０７に出力する。
【００４４】
投射部１０７は、表示部の一例である。表示部には、スクリーンＳＣ等の表示面は含まれない。投射部１０７は、制御部１０６が出力した表示画像信号に応じた表示画像４００をスクリーンＳＣに投射して表示する。
【００４５】
図７は、投射部１０７の一例を示した図である。投射部１０７は、光源１１と、光変調装置の一例である３つの液晶ライトバルブ１２（１２Ｒ，１２Ｇ，１２Ｂ）と、投射光学系の一例である投射レンズ１３と、ライトバルブ駆動部１４等を含む。投射部１０７は、光源１１から射出された光を液晶ライトバルブ１２で変調して表示画像４００（画像光）を形成し、この表示画像４００を投射レンズ１３から拡大投射する。表示画像４００は、スクリーンＳＣに表示される。ここで、投射部１０７が投射する表示画像４００は、一般的に「投射画像」と称されることもある。
【００４６】
光源１１は、キセノンランプ、超高圧水銀ランプ、ＬＥＤ（Light Emitting Diode）、またはレーザー光源等からなる光源部１１ａと、光源部１１ａが放射した光の方向のばらつきを低減するリフレクター１１ｂとを含む。光源１１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ１２Ｒ，１２Ｇ，１２Ｂに入射する。
【００４７】
液晶ライトバルブ１２は、一対の透明基板間に液晶が封入された液晶パネル等によって構成される。液晶ライトバルブ１２には、マトリクス状に配列された複数の画素１２ｐからなる矩形の画素領域１２ａが形成されている。液晶ライトバルブ１２では、液晶に対して画素１２ｐごとに駆動電圧を印加することが可能である。ライトバルブ駆動部１４が、制御部１０６から入力される表示画像信号に応じた駆動電圧を各画素１２ｐに印加すると、各画素１２ｐは、表示画像信号に応じた光透過率に設定される。このため、光源１１から射出された光は、画素領域１２ａを透過することで変調され、表示画像信号に応じた表示画像が色光ごとに形成される。
【００４８】
各色の画像は、図示しない色合成光学系によって画素１２ｐごとに合成され、カラー画像光（カラー画像）である投射画像光（投射画像）が生成される。投射画像光は、投射レンズ１３によってスクリーンＳＣに拡大投射される。
【００４９】
次に、動作を説明する。
図８は、プロジェクター１００の動作、特には、境界Ｅの位置を決定する動作および表示画像４００を生成して投射する動作を説明するためのフローチャートである。図８に示した動作は繰り返し実行される。
【００５０】
利用者が、リモートコントローラー１５０または操作部１０１の分割表示キーを操作すると、制御部１０６は、第１領域Ｃと第２領域Ｄからなる表示画像４００の表示を開始する。
説明の簡略化のため、プロジェクター１００に第１画像情報が入力されているが第２画像情報は入力されておらず、境界Ｅが基準位置Ｇにあり、第１領域Ｃに第１画像Ａが配置され、第２領域Ｄに第２画像Ｂが配置されていない特定状況において、プロジェクター１００が、携帯端末３００から第２画像情報を受信した場合の動作を説明する。
図９は、特定状況での表示画像４００を示した図である。
【００５１】
無線通信部１０４は、携帯端末３００から第２画像情報を受信すると（ステップＳ１）、第２画像情報と、第２画像情報に付加されている第２ネイティブ解像度情報、オフセットＹ２およびオフセットＸ２とを、制御部１０６に出力する。
【００５２】
制御部１０６は、第２画像情報と、第２ネイティブ解像度情報と、オフセットＹ２と、オフセットＸ２とを受け取ると、第２画像情報が示す伝送用第２画像Ｍから、第２ネイティブ解像度情報とオフセットＹ２とオフセットＸ２とを用いて、第２画像Ｂを取り出す（ステップＳ２）。
【００５３】
続いて、制御部１０６は、画面分割中であるか否かを判断する（ステップＳ３）。制御部１０６は、第１領域Ｃに第１画像Ａが配置され第２領域Ｄに第２画像Ｂが配置されていない表示画像４００の表示が実行されているので、画面分割中と判断する。
【００５４】
制御部１０６は、画面分割中と判断した場合（ステップＳ３：ＹＥＳ）、第２画像Ｂの縦横比を維持したまま第２領域Ｄ（第２基準領域）に収まる第２画像Ｂの最大のサイズを示す解像度（以下「対応サイズ解像度」と称する）を算出する（ステップＳ４）。
【００５５】
続いて、制御部１０６は、表示画像４００に配置済みの画像があるか否かを判断する（ステップＳ５）。制御部１０６は、第１領域Ｃに第１画像Ａが配置されているため、表示画像４００に配置済みの画像があると判断する。
【００５６】
制御部１０６は、表示画像４００に配置済みの画像があると判断した場合（ステップＳ５：ＹＥＳ）、まず、境界Ｅが基準位置Ｇにある状況で、第１画像Ａを、第１画像Ａの縦横比を維持したまま第１領域Ｃに収まる最大のサイズにして第１領域Ｃに配置し、かつ、第２画像Ｂを、第２画像Ｂの縦横比を維持したまま第２領域Ｄに収まる最大のサイズにして第２領域Ｄに配置する。以下、この配置状態を「基準配置状態」と称する。
図１０は、基準配置状態の一例を示した図である。
【００５７】
続いて、制御部１０６は、基準配置状態において、第１領域ＣのＸ方向の長さから第１画像ＡのＸ方向の長さを減算した値Ｚ１と、第２領域ＤのＸ方向の長さから第２画像ＢのＸ方向の長さを減算した値Ｚ２と、を算出する（ステップＳ６）。値Ｚ１と値Ｚ２は、Ｘ方向における非表示領域に対応する。
【００５８】
続いて、制御部１０６は、非表示領域が圧縮可能か否かを判断する（ステップＳ７）。本実施形態では、制御部１０６は、値Ｚ１と値Ｚ２との一方が「０」であり、かつ、値Ｚ１と値Ｚ２との他方が正の値である場合、非表示領域が圧縮可能と判断する。
【００５９】
制御部１０６は、非表示領域が圧縮可能であると判断すると（ステップＳ７：ＹＥＳ）、境界Ｅを基準位置Ｇよりも第２領域Ｄ側に位置させて画面分割比を変更する（ステップＳ８）。本実施形態では、制御部１０６は、境界Ｅを基準位置Ｇよりも値Ｚ２の距離だけ第２領域Ｄ側に位置させる。以下、この移動後の状態を「境界移動状態」と称する。
図１１は、境界移動状態の一例を示した図である。
【００６０】
続いて、制御部１０６は、第１画像Ａの縦横比を維持したまま、境界移動状態での第１領域Ｃに収まる第１画像Ａの最大のサイズを示す解像度（以下「第１表示用解像度」と称する）と、第２画像Ｂの縦横比を維持したまま、境界移動状態での第２領域Ｄに収まる第２画像Ｂの最大のサイズを示す解像度（以下「第２表示用解像度」と称する）と、を算出する（ステップＳ９）。
【００６１】
続いて、制御部１０６は、第１画像Ａのサイズが第１表示用解像度のサイズになるように、第１画像Ａの解像度を第１表示用解像度に変換し、第２画像Ｂのサイズが第２表示用解像度のサイズになるように、第２画像Ｂの解像度を第２表示用解像度に変換する（ステップＳ１０）。
【００６２】
続いて、制御部１０６は、境界移動状態での第１領域Ｃに第１表示用解像度の第１画像Ａを配置し、境界移動状態での第２領域Ｄに第２表示用解像度の第２画像Ｂを配置して、表示画像４００（具体的には、表示画像４００を示す表示画像信号）を生成する（ステップＳ１１）。
図１２は、ステップＳ１２で生成される表示画像４００の一例を示した図である。
【００６３】
続いて、制御部１０６は、ステップＳ１１で生成した表示画像４００を示す表示画像信号を投射部１０７に出力する。投射部１０７は、制御部１０６から受け取った表示画像信号に応じた表示画像４００をスクリーンＳＣに投射して表示する（ステップＳ１２）。
【００６４】
なお、ステップＳ１で、画像受取部１０３と無線通信部１０４のいずれもが新たな画像情報を受信しなかった場合（ステップＳ１：ＮＯ）、図８に示した処理は終了する。
【００６５】
ステップＳ３で画面分割中でない場合、制御部１０６は、図８に示した処理を終了し、ステップＳ２で取り出した画像を投射部１０７に投射させる。
【００６６】
ステップＳ５で表示画像４００に配置済みの画像がない場合、ステップＳ９からステップＳ１２では、以下のような動作が実行される。
まず、ステップＳ９では、制御部１０６は、ステップＳ２で取り出した画像（以下「取出し画像」とも称する）の縦横比を維持したまま、第１基準領域または第２基準領域に収まる取出し画像の最大のサイズを示す解像度を、表示用解像度として算出する。
続いて、ステップＳ１０では、制御部１０６は、取出し画像の解像度を表示用解像度に変換する。
続いて、ステップＳ１１では、制御部１０６は、取出し画像の元になる画像情報が画像受取部１０３で受け取られた場合には、表示用解像度の取出し画像を第１領域Ｃに配置した表示画像４００を示す画像信号を生成する。一方、取出し画像の元になる画像情報が無線通信部１０４で受け取られた場合には、制御部１０６は、表示用解像度の取出し画像を第２領域Ｄに配置した表示画像を示す画像信号を生成する。
続いて、ステップＳ１２では、制御部１０６は、ステップＳ１１で生成した画像信号を投射部１０７に出力する。投射部１０７は、この画像信号に応じた表示画像をスクリーンＳＣに投射して表示する。
【００６７】
ステップＳ７で、値Ｚ１と値Ｚ２とのいずれもが「０」でない場合、および、値Ｚ１と値Ｚ２とのいずれもが「０」である場合、制御部１０６は、非表示領域が圧縮可能でないと判断する。この場合（ステップＳ７：ＮＯ）、ステップＳ９からステップＳ１２では、以下のような動作が実行される。
まず、ステップＳ９からステップＳ１１では、制御部１０６は、基準配置状態の表示画像４００を示す画像信号を生成する。
続いて、ステップＳ１２では、制御部１０６は、基準配置状態の表示画像４００を示す画像信号を投射部１０７に出力する。投射部１０７は、この画像信号に応じた表示画像をスクリーンＳＣに投射して表示する。
【００６８】
本実施形態のプロジェクター１００およびプロジェクター１００の制御方法によれば、第１画像Ａの形状と第２画像Ｂの形状とに基づいて、境界Ｅの位置が決定される。このため、第１画像Ａの形状と第２画像Ｂの形状とに基づいて、第１領域Ｃの形状と第２領域Ｄの形状とを変更可能になる。よって、第１領域Ｃの形状と第２領域Ｄの形状とが固定されている場合に比べて、第１領域Ｃの形状と第１画像Ａの形状との一致度および第２領域Ｄの形状と第２画像Ｂの形状との一致度を高くすることが可能になり、表示画像４００において非表示領域Ｆを低減可能になる。
【００６９】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００７０】
＜変形例１＞
第１実施形態では、第１領域Ｃと第２領域Ｄとが、表示画像４００の横方向（Ｘ方向）に並ぶ位置関係であったが、第１領域Ｃと第２領域Ｄとが、表示画像４００の縦方向（Ｙ方向）に並ぶ位置関係でもよい。この場合、Ｙ方向が、第１の方向の一例となる。
図１３は、第１領域Ｃと第２領域Ｄとが表示画像４００の縦方向（Ｙ方向）に並ぶ位置関係の一例を示した図である。
この場合、制御部１０６は、境界Ｅが、第１領域Ｃの大きさと第２領域Ｄの大きさとを等しくする基準位置にあるときに、第１画像ＡのＹ方向の長さが第１領域ＣのＹ方向の長さと等しくかつ第２画像ＢのＹ方向の長さが第２領域ＤのＹ方向の長さよりも短い場合には、境界Ｅを基準位置よりも第２領域Ｄ側に位置させる。
また、制御部１０６は、境界Ｅが基準位置にあるときに、第１画像ＡのＹ方向の長さが第１領域ＣのＹ方向の長さよりも短くかつ第２画像ＢのＹ方向の長さが第２領域ＤのＹ方向の長さと等しい場合には、境界Ｅを基準位置よりも第１領域Ｃ側に位置させる。
【００７１】
＜変形例２＞
第１実施形態では、表示画像４００の特定領域として、表示画像４００の全体が用いられた。しかしながら、表示画像４００の特定領域は、表示画像４００の全体に限らず、表示画像４００の一部の領域でもよい。
例えば、図１４に示したように、表示画像４００が、４つの分割領域Ｎ１〜Ｎ４に分割されている場合、分割領域Ｎ１と分割領域Ｎ２からなる領域、分割領域Ｎ３と分割領域Ｎ４からなる領域、分割領域Ｎ１と分割領域Ｎ３からなる領域、または、分割領域Ｎ２と分割領域Ｎ４からなる領域が、表示画像４００の特定領域として用いられてもよい。
【００７２】
＜変形例３＞
制御部１０６は、第１領域Ｃと第２領域Ｄとの並び順を、第１画像Ａの形状と第２画像Ｂの形状とに基づいて決定してもよい。
一例を挙げると、第１領域Ｃと第２領域Ｄとが図６に示したようにＸ方向に並んでいる状況で、第１画像Ａの縦横比が横長を示し、第２画像Ｂの縦横比も横長を示す場合、制御部１０６は、第１領域Ｃと第２領域Ｄとが並ぶ方向を図１３に示したようにＹ方向に代えてもよい。
また、第１領域Ｃと第２領域Ｄとが図１３に示したようにＹ方向に並んでいる状況で、第１画像Ａの縦横比が縦長を示し、第２画像Ｂの縦横比も縦長を示す場合、制御部１０６は、第１領域Ｃと第２領域Ｄとが並ぶ方向を図６に示したようにＸ方向に代えてもよい。
【００７３】
図１５は、第１領域Ｃと第２領域Ｄとが並ぶ方向を、第１画像Ａの形状と第２画像Ｂの形状とに基づいて変更する動作の一例を説明するためのフローチャートである。図１５において、図８に示した処理と同一の処理については同一符号を付してある。以下、図１５に示す動作を、図８に示した動作と異なる点を中心に説明する。
【００７４】
ステップＳ５で表示画像４００に配置済みの画像がある場合（ステップＳ５：ＹＥＳ）、制御部１０６は、全ての入力画像（第１画像Ａと第２画像Ｂのいずれも）が横長であるかまたは縦長であるかを判断する（ステップＳ１０１）。ここで、制御部１０６は、第１画像Ａの縦横比に基づいて、第１画像Ａが横長であるか縦長であるかを判断する。また、制御部１０６は、第２画像Ｂの縦横比に基づいて、第２画像Ｂが横長であるか縦長であるかを判断する。
【００７５】
制御部１０６は、第１画像Ａと第２画像Ｂのいずれもが横長または縦長であると判断した場合（ステップＳ１０１：ＹＥＳ）、画面分割が入力画像（第１画像Ａと第２画像Ｂ）の形状に合っているか否かを判断する（ステップＳ１０２）。
【００７６】
制御部１０６は、第１画像Ａと第２画像Ｂのいずれもが横長である状況において、第１領域Ｃと第２領域ＤがＹ方向に並ぶ画面分割である場合（図１３参照）、分割画面が入力画像の形状に合っていると判断する。
制御部１０６は、第１画像Ａと第２画像Ｂのいずれもが横長である状況において、第１領域Ｃと第２領域ＤがＸ方向に並ぶ画面分割である場合（図６参照）、分割画面が入力画像の形状に合っていないと判断する。
【００７７】
また、制御部１０６は、第１画像Ａと第２画像Ｂのいずれもが縦長である状況において、第１領域Ｃと第２領域ＤがＸ方向に並ぶ画面分割である場合（図６参照）、分割画面が入力画像の形状に合っていると判断する。
制御部１０６は、第１画像Ａと第２画像Ｂのいずれもが縦長である状況において、第１領域Ｃと第２領域ＤがＹ方向に並ぶ画面分割である場合（図１３参照）、分割画面が入力画像の形状に合っていないと判断する。
【００７８】
制御部１０６は、分割画面が入力画像の形状に合っていないと判断した場合（ステップＳ１０２：ＹＥＳ）、画面分割を変更する（ステップＳ１０３）。具体的には、制御部１０６は、ステップＳ１０２の段階で第１領域Ｃと第２領域ＤがＸ方向に並んでいる場合、第１領域Ｃと第２領域ＤがＹ方向に並ぶように画面分割を変更する。一方、ステップＳ１０２の段階で第１領域Ｃと第２領域ＤがＹ方向に並んでいる場合、制御部１０６は、第１領域Ｃと第２領域ＤがＸ方向に並ぶように画面分割を変更する。
【００７９】
なお、ステップＳ１０１において第１画像Ａと第２画像Ｂの一方が横長で他方が縦長である場合（ステップＳ１０１：ＮＯ）、ステップＳ６が実行される。また、ステップＳ１０２において画面分割が入力画像の形状に合っている場合（ステップＳ１０２：ＮＯ）、ステップＳ６が実行される。
【００８０】
＜変形例４＞
図１４に示したように表示画像４００が４つの分割領域Ｎ１〜Ｎ４に分割されている状況で、全ての入力画像が縦長の場合には、制御部１０６は、４つの分割領域Ｎ１〜Ｎ４がＸ方向に並ぶように、表示画像４００についての分割を変更してもよい。
また、図１４に示したように表示画像４００が４つの分割領域Ｎ１〜Ｎ４に分割されている状況で、全ての入力画像が横長の場合には、制御部１０６は、４つの分割領域Ｎ１〜Ｎ４がＹ方向に並ぶように、表示画像４００についての分割を変更してもよい。
【００８１】
＜変形例５＞
画像受取部１０３が第１画像情報を受け取り、かつ、無線通信部１０４が第２画像情報を受け取る代わりに、例えば、画像受取部１０３と無線通信部１０４の一方が、第１画像情報と第２画像情報とを受け取ってもよい。
【００８２】
＜変形例６＞
伝送解像度がネイティブ解像度と一致している場合、ネイティブ解像度情報とオフセットＸとオフセットＹが省略されてもよい。
【００８３】
＜変形例７＞
表示画像４００のうち、境界Ｅよりも左側にある分割領域を第１領域Ｃとし、境界Ｅよりも右側にある分割領域を第２領域Ｄとしたが、境界Ｅよりも左側にある分割領域を第２領域Ｄとし、境界Ｅよりも右側にある分割領域を第１領域Ｃとしてもよい。
【００８４】
＜変形例８＞
投射部１０７では、光変調装置として液晶ライトバルブが用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【００８５】
＜変形例９＞
表示装置としてプロジェクターが用いられたが、表示装置はプロジェクターに限らず適宜変更可能である。例えば、表示装置は、直視型のディスプレイあってもよい。この場合、投射部１０７の代わりに、例えば液晶ディスプレイのような直視型の表示部が用いられる。
【符号の説明】
【００８６】
１００…プロジェクター、１０１…操作部、１０２…受信部、１０３…画像受取部、１０４…無線通信部、１０５…記憶部、１０６…制御部、１０７…投射部。
【図１】
2019015834.tif 000003
【図２】
2019015834.tif 000004
【図３】
2019015834.tif 000005
【図４】
2019015834.tif 000006
【図５】
2019015834.tif 000007
【図６】
2019015834.tif 000008
【図７】
2019015834.tif 000009
【図８】
2019015834.tif 000010
【図９】
2019015834.tif 000011
【図１０】
2019015834.tif 000012
【図１１】
2019015834.tif 000013
【図１２】
2019015834.tif 000014
【図１３】
2019015834.tif 000015
【図１４】
2019015834.tif 000016
【図１５】
2019015834.tif 000017